(57)【要約】【課題】高周波発振器のアノードブロックに冷却風を効率よく吹き付けられる構成とし、高周波発振器を効果的に温度保護すること。【解決手段】加熱庫２０と、プロペラファン２４の回転によって発生する回転方向に角度のある風向に合わせて傾けて保持した高周波発振器２５と、その冷却風の出口の開口ｂ２９の一部が閉じられることでプロペラファン２４から発生した冷却風が冷却フィン２６及びアノードブロック２７に効率よく噴きつけることになる。更にエアーガイド２９の壁３１によって開口２８を通過した冷却風がよりアノードブロック２７の近傍を通過するため一層冷却効率が良くなる結果となる。【選択図】図１
2006222005.tif 000002
【特許請求の範囲】
【請求項１】
非加熱物を収納して加熱する加熱庫と、加熱庫の機械室側の壁面に断熱の為に装着された断熱板と、機械室内を冷却する為のプロペラファンと、プロペラファンを回転駆動させるファンモーターと、高圧電圧を発生させるインバータートランス基板と、前記インバータートランス基板を収納保持するプリントベース板と、高周波を発振させる高周波発振器が配置され、前記高周波発振器がプロペラファンと角度をもって配置された冷却構成を特徴とした高周波加熱装置。
【請求項２】
断熱板平面部のプロペラファンの羽根位置が傾斜面からなる凹部形状とし、プロペラファンの羽根が凹部に納まる構成を特徴とした、請求項１に記載の高周波加熱装置。
【請求項３】
高周波発振器の排気側開口の一部を閉じた冷却構成からなる請求項１記載の高周波加熱装置。
【発明の詳細な説明】
【技術分野】
【０００１】
本発明は、高周波加熱装置の機械室内に装着された高周波発振器の冷却構成に関するものである。
【背景技術】
【０００２】
従来、この種の高周波加熱装置の冷却構成としては機械室の後ろ面にファンモーターが固定されそれによって冷却ファンが垂直に配置され、冷却ファンの後ろ面に設けられた吸気孔からの吸入によって機械室を冷却する構成のものが知られている。
【０００３】
図５は、冷却構成の機械室側面図で、機械室に設けられたファンモーター１の駆動によりプロペラファン２が回転し、機械室内に冷却風が送風される。プロペラファン２の下にはエアーガイド３が固定されプロペラファン２で送り出した風が再び吸引しないようガードされている。更にプロペラファン２の正面の近接位置に高周波発振器４が固定されている。プロペラファン２の上には高電圧を発生させるインバーター基盤５がプリントベース板６によって保持固定されている。ファンモーター１の取り付け面７には外気を吸入するための開口が設けられている。それによって、ファンモーター１の駆動によってプロペラファン２が回転し、取り付け面７の開口より外気が機械室内に吸入される。吸入された冷却風はプロペラファン２の回転によって押し出され、高周波発振器４の冷却フィン８及びその中央に位置するアノードブロック９を重点的に冷却する構成としている（例えば、特許文献１参照）。
【特許文献１】特開２００４−２６３９８１号公報
【発明の開示】
【発明が解決しようとする課題】
【０００４】
しかしながら、前記従来の構成では、プロペラファン２に近接位置に高周波発振器４が位置しているが内部の冷却フィン８の中央に位置するアノードブロック９に対し冷却風の進行方向が、プロペラファン２の回転によって回転方向に角度のある吹き付けとなり、結果アノードブロック９への風量が減少し冷却効率が悪いという課題があった。
【０００５】
本発明は、前記従来の課題を解決するもので、高周波発振器４のアノードブロック９に冷却風を効率よく吹き付け、高周波発振器４をより効果的に温度保護し耐久性の優れた高周波加熱装置を提供することを目的とする。
【課題を解決するための手段】
【０００６】
前記従来の課題を解決するために、本発明の高周波加熱装置は、非加熱物を収納して加熱する加熱庫と、加熱庫の機械室側の壁面に断熱の為に装着された断熱板と、機械室内を冷却する為のプロペラファンと、プロペラファンを回転駆動させるファンモーターとその上に保持された高圧電圧を発生させるインバータートランス基板と、前記インバータートランス基板を収納保持するプリントベース板と、高周波を発振させる高周波発振器が配置され、プロペラファンの回転に従って送られる風向きに従って高周波発振器を傾けた配置とした。更に高周波発振器と断熱板が近接し、且つ断熱板の平面部の凹部にプロペラファンの羽根が収まる断熱板形状とし、羽根が納まる凹部が傾斜した面からなり、プロペラファンの回転によって発生した風が凹部の傾斜した面によって濃縮されより効率よく高周波発振器を冷却する方式とした。
【発明の効果】
【０００７】
本発明の高周波加熱装置は、高周波発振器のアノードブロックを安価で効率的に冷却することができる。
【発明を実施するための最良の形態】
【０００８】
第１の発明は、非加熱物を収納して加熱する加熱庫と、加熱庫の機械室側の壁面に断熱の為に装着された断熱板と、機械室内を冷却する為のプロペラファンと、プロペラファンを回転駆動させるファンモーターとその上に保持された高圧電圧を発生させるインバータートランス基板と、前記インバータートランス基板を収納保持するプリントベース板と、高周波を発振させる高周波発振器が配置され、プロペラファンの回転に従って送られる風向きに従って高周波発振器を傾けた配置とした。
【０００９】
第２の発明は、特に、第１の発明の高周波発振器と断熱板が近接し、且つ断熱板の平面部の凹部にプロペラファンの羽根が収まる断熱板形状とし、羽根が納まる凹部が傾斜した面からなり、プロペラファンの回転によって発生した風が凹部の傾斜した面によって濃縮され、且つ風向きをマグネトロンの中央に向けることで、より効率よく高周波発振器を冷却する方式とした。
【００１０】
第３の発明は、高周波発振器の冷却風の出口の一部を閉じることで、高周波発振器のプロペラファン側開口より進入した冷却風がアノードブロックに近い経路を通過することになる。それによってアノードブロック本体が冷却されるためより冷却効率が良くなる。
【００１１】
以下、本発明の実施の形態について、図面を参照しながら説明する。なお、この実施の形態によって本発明が限定されるものではない。
【００１２】
（実施の形態１）
以下本発明の実施例について、図１、図２、図３、図４を参照しながら説明する。
【００１３】
図２は、本発明の第１の実施例における高周波加熱装置の側面の図を示すものである。
【００１４】
図２においては、プロペラファンの回転によって吸引された風が、プロペラファンに近接位置に配置された高周波発振器に向けて吹き付けられる。
【００１５】
以上のように構成された高周波加熱装置について、以下にその動作、作用を説明する。
【００１６】
まず、加熱庫１０の機械室側の壁面には機械室を温度保護する断熱板１１が保持されている。更に機械室内に冷却風を吸引し循環させるプロペラファン１２と、それを回転駆動させる冷却ファンモーター１３が機械室の壁面に取り付け固定されている。プロペラファン１２に近接する上部には高圧電圧を発生させるインバータートランス１４と、それを保持する形状のプリントベース板１５が構成されている。プロペラファン１２の正面には高周波発振器１６が固定され、プロペラファン１２の中心より下から送られる送風によって冷却される構成としている。それによると、冷却ファンモーター１３の駆動によってプロペラファン１２が回転し、機体の外より外気１８を吸引し機械室内に冷却風が供給される。プロペラファン１２の中心より下の羽根位置の対面方向に高周波発振器１６の冷却フィン１７が位置し冷却風を吹き付ける構成としている。
【００１７】
図１は実施例１の断面詳細図である。図１は冷却構成の上面図で加熱庫２０と加熱庫２０と機械室を断熱する断熱板２１と機械室の壁面２２に冷却ファンモーター２３が固定され、その冷却ファンモーター２３の軸にプロペラファン２４が軸支され冷却ファンモーター２３の駆動によってプロペラファン２４が回転する。プロペラファン２４の対面位置には高周波発振器２５が配置され、プロペラファン２４の回転によって送られた冷却風が高周波発振器２５の中の冷却フィン２６と、アノードブロック２７を通過し冷却する構成とし、前記高周波発振器２５がプロペラファン２４の送り出す風向き方向に高周波発振器２５の開口２８が向くように、角度を振って保持する構成とし更に高周波発振器２５の開口ｂ２９の一部がエアーガイド２９によって閉じる構成とした。それによると冷却ファンモーター２３の駆動によって回転するプロペラファン２４から機械室に冷却風が供給される。プロペラファン２４から発生する風はプロペラファン２４の特性上、回転方向に角度をもって押し出されることになる。その際、押し出される風３０の方向に添って高周波発振器２５の開口２８が位置するため冷却フィン２６及びアノードブロック２７が効率よく冷却されることになる。更に高周波発振器２５の開口２８のから進入した風３０の出口の開口ｂ２９の一部がエアーガイド２９の壁３１によって閉じられているので、風３２方向に流れる結果となりアノードブロック２７を更に冷却することになる。
【００１８】
以上のように、本実施例によると、プロペラファンの回転によって発生する回転方向に角度のある風向に合わせて傾けて保持した高周波発振器２５と、その冷却風の出口の開口ｂ２９の一部が閉じられることでプロペラファン２４から発生した冷却風が冷却フィン２６及びアノードブロック２７に効率よく噴きつけることになる。更にエアーガイド２９の壁３１によって開口２８を通過した冷却風がよりアノードブロック２７の近傍を通過するため一層冷却効率が良くなる結果となる。
【００１９】
（実施の形態２）
図３は、本発明の第２の実施の形態の高周波加熱装置の側面図である。図３において、実施例１の構成と異なるところは、加熱庫４０と機械室を断熱する断熱板４１と機械室の壁面４２に冷却ファンモーター４３が固定され、その冷却ファンモーター４３の駆動によって回転するプロペラファン４４と近接する断熱板４１が凹形状４５からなりプロペラファン４４の回転で発生する風の出口方向に断熱板４１の凹形状４５からなる傾斜面４６を設けた点である。
【００２０】
図４は第２の実施の形態の断面詳細図である。図４は冷却構成の上面図で加熱庫５０と加熱庫５０と機械室を断熱する断熱板５１と機械室の壁面５２に冷却ファンモーター５３が固定され、その冷却ファンモーター５３の軸にプロペラファン５４が軸支され、冷却ファンモーター５３の駆動によってプロペラファン５４が回転する。プロペラファン５４は断熱板５１の低い面５５と近接し回転による風の吹き出し方向に断熱板５１の傾斜面５６が構成されている。プロペラファン５４対面位置には高周波発振器５７が配置され、プロペラファン５４の送り出す風向き方向に高周波発振器５７の開口５８が向くように、角度を振って保持する構成としている。それによってプロペラファン５４から発生した風が断熱板５１の傾斜面５６によってより強い風速が得る結果となり、高周波発振器５７の冷却フィン５９及びアノードブロック６０を効率よく冷却することになる。
【００２１】
以上のように、本実施例においてはプロペラファン５４を断熱板５１の低い面５５に収めることで機械室の省スペース化ができ、更に断熱板５１の傾斜面５６によって効率よく高周波発振器５７を冷却保護することができる。
【産業上の利用可能性】
【００２２】
以上のように、本発明にかかる高周波加熱装置は、高周波発振器のアノードブロックを安価で効率的に冷却することが可能となる。
【図面の簡単な説明】
【００２３】
【図１】本発明の実施の形態１における高周波加熱装置の断面詳細図
【図２】本発明の実施の形態１における高周波加熱装置の側面図
【図３】本発明の実施の形態２における高周波加熱装置の側面図
【図４】本発明の実施の形態２における高周波加熱装置の断面詳細図
【図５】従来の高周波加熱装置の側面図
【符号の説明】
【００２４】
２１  断熱板
２３  冷却ファンモーター
２４  プロペラファン
２５  マグネトロン
２６  冷却フィン
２７  アノードブロック
２９  エアーガイド
【図１】
2006222005.tif 000003
【図２】
2006222005.tif 000004
【図３】
2006222005.tif 000005
【図４】
2006222005.tif 000006
【図５】
2006222005.tif 000007